(57)【要約】【課題】電波吸収パネルを高架裏に安全かつ迅速に取付けることができるようにすることを目的とする。【解決手段】高架裏１１の横梁４の上面４ａに足場板５を取着する。この横梁４の下面４ｂに電波吸収パネル６を取着して、上下二層構造とする。【選択図】　　　図７
2004052233.tif 000002
【特許請求の範囲】
【請求項１】
高架裏（１１）に平行に配設された横梁（４）の上面（４ａ）に足場板（５）を取着し、上記横梁（４）の下面（４ｂ）に電波吸収パネル（６）を取着したことを特徴とする電波吸収パネルの取付構造。
【請求項２】
高架裏（１１）に平行に配設される横梁（４）の下面（４ｂ）側が、両端部に第一掛止片部（１５）（１５）を有する下方開口状の第一開口溝部（１６）を有する形状であって、該横梁（４）の上面（４ａ）に足場板（５）を取着すると共に、上記横梁（４）の下面（４ｂ）側の上記第一掛止片部（１５）（１５）に掛止する第一固着具（２１）を介して電波吸収パネル（６）を該下面（４ｂ）に取着したことを特徴とする電波吸収パネルの取付構造。
【請求項３】
高架裏（１１）に平行に配設される横梁（４）の下面（４ｂ）側が、両端部に第一掛止片部（１５）（１５）を有する下方開口状の第一開口溝部（１６）を有し、かつ、該横梁（４）の上面（４ａ）側が、両端部に第二掛止片部（１７）（１７）を有する上方開口状の第二開口溝部（１８）を有する形状であって、該横梁（４）の上面（４ａ）側の第二掛止片部（１７）（１７）に掛止する第二固着具（２２）を介して足場板（５）を該上面（４ａ）に取着すると共に、上記横梁（４）の下面（４ｂ）側の上記第一掛止片部（１５）（１５）に掛止する第一固着具（２１）を介して電波吸収パネル（６）を該下面（４ｂ）に取着したことを特徴とする電波吸収パネルの取付構造。
【請求項４】
足場板（５）が金属網面体から成る請求項１，２又は３記載の電波吸収パネルの取付構造。
【請求項５】
高架裏（１１）に横梁（４）を取付け、次に、該横梁（４）の長手方向にスライドさせながら該横梁（４）の上面（４ａ）に金属網面体から成る足場板（５）を取付け、さらに、該横梁（４）の長手方向にスライドさせながら該横梁（４）の下面（４ｂ）に電波吸収パネル（６）を取付けることを特徴とする電波吸収パネルの取付方法。
【発明の詳細な説明】
【０００１】
【発明の属する技術分野】
本発明は、電波吸収パネルの取付構造及びその取付方法に関する。
【０００２】
【従来の技術】
近年、高速道路交通システムの一分野である有料道路の自動料金収受（ＥＴＣ）システムが採用されている。このＥＴＣシステムによって、料金所での自動車のノンストップによる渋滞解消、キャッシュレス化への対応、料金所での無人化等を図ろうとしている。
【０００３】
このＥＴＣシステムに於て、アーチ状のゲート（ガントリー）の上辺に設置した路側アンテナから道路に向けて電波を発信し、この道路を走行通過する自動車の車載器と上記路側アンテナとの間で双方向通信を行う。その際、上記路側アンテナから直接的に車載器の電波が到達するのみであれば、問題は生じないのであるが、上記路側アンテナから発信された電波が一旦道路面にて反射し、さらに、該料金所近傍にて上記道路と交差してあるいは平行に設けられた別の高架道路の裏面側───高架裏───で再反射すると、次のような問題を生ずる。即ち、上記高架裏で電波が再反射すると、再び上記車載器へ電波が到達し、一度の通過にかかわらず、二度の料金徴収を行う等の誤操作のおそれがあった。
そこで、上記料金所等の近傍の高架道路の裏面側───高架裏───に、電波の反射を低減乃至無くするための電波吸収パネルを取付けている。
【０００４】
従来、高架裏（桁裏ということもある）に電波吸収パネルを取付ける方法としては、足場を組立てて、高架裏に対しこの足場から作業して電波吸収パネルを取付け、その後、この足場で解体するという方法が用いられ、また、補修作業時も同様に高架裏側に組立てた足場から補修作業を行い、その後、この足場を解体していた。
しかしながら、このような電波吸収パネルの取付方法では、高架の桁下を往来する車を、長い期間にわたり通行規制を行う必要があった。
そのような問題を解決するため、特許第３０８４００９号や特開２０００−２３４３１２等に於て、電波吸収パネルを足場に兼用する方法が提案されている。
【０００５】
【発明が解決しようとする課題】
しかしながら、電波吸収パネルの上面を足場に兼用する方法及びそのような取付構造では、以下のような問題がある。つまり、▲１▼パネルを取り外した箇所が存在した場合、作業者の足元が危険であり、落下する虞が生じる。また、足場が無いので高架裏（桁裏）の補修を行うことが困難である。▲２▼電波吸収パネルの電波（電磁波）吸収特性を測定しながらパネルの位置合わせをしなければならないので、足場として完成するまで、時間が掛かる。
【０００６】
以上のような問題▲１▼▲２▼があった。本発明は、このような問題▲１▼▲２▼を解決して、短い工期にて確実に電波吸収パネルの取付作業が可能であり、かつ、安全性が高い取付方法及び取付構造を提供することを一つの目的とし、また、足場は足場で取付けることが可能であって、桁裏（高架裏）の補修をパネルの設置（取付）を待たずに行うことができるパネルの取付方法及び取付構造を、提供することを他の目的とする。
【０００７】
【課題を解決するための手段】
上記目的を達成するため、本発明に係る電波吸収パネルの取付構造は、高架裏に平行に配設された横梁の上面に足場板を取着し、上記横梁の下面に電波吸収パネルを取着した。
また、高架裏に平行に配設される横梁の下面側が、両端部に第一掛止片部を有する下方開口状の第一開口溝部を有する形状であって、該横梁の上面に足場板を取着すると共に、上記横梁の下面側の上記第一掛止片部に掛止する第一固着具を介して電波吸収パネルを該下面に取着した。
また、高架裏に平行に配設される横梁の下面側が、両端部に第一掛止片部を有する下方開口状の第一開口溝部を有し、かつ、該横梁の上面側が、両端部に第二掛止片部を有する上方開口状の第二開口溝部を有する形状であって、該横梁の上面側の第二掛止片部に掛止する第二固着具を介して足場板を該上面に取着すると共に、上記横梁の下面側の上記第一掛止片部に掛止する第一固着具を介して電波吸収パネルを該下面に取着した。
なお、足場板が金属網面体から成るのが好ましい。
【０００８】
そして、本発明に係る電波吸収パネルの取付方法は、高架裏に横梁を取付け、次に、該横梁の長手方向にスライドさせながら該横梁の上面に金属網面体から成る足場板を取付け、さらに、該横梁の長手方向にスライドさせながら該横梁の下面に電波吸収パネルを取付ける方法である。
【０００９】
【発明の実施の形態】
以下、図示の実施の形態に基づき本発明を詳説する。
図７に示した一部破断斜視説明図に於て、１０は高架道路であって、その高架裏（桁裏）１１には、長手方向にＨ型鋼等の高架道路主桁１２が配設されているが、この主桁１２と平行にその下方位置に、Ｈ型鋼等の縦梁３が吊部材２ａ，２ｂにて吊下状に保持されている。平面視直交状に、横梁４が上記縦梁３の下面に当接して固着される。即ち、多数本の横梁４が平行に、上記高架道路１０の長手方向と直交する幅方向（左右方向）に、配設されている。
【００１０】
そして、エキスパンドメタル等の金属網目体から成る足場板５が、横梁４の上面４ａに（載置状として）取着されている。具体的には、この足場板５は、（後に詳述する）図４〜図６に例示するように、周囲枠１４と金属網目体とを有する平面視矩形板型であって、その長辺が複数本の横梁４にわたって平面視直交するように配設される。
６は電波吸収パネルであり、上記横梁４の下面（４ｂ）に取着される。この電波吸収パネルは電磁波吸収パネルとも呼ばれ、例えば、矩形板状の電波吸収本体と、その電波吸収本体の下面側に積層状の表面材（ＦＲＰ板）と、この電波吸収本体と表面材とを保護すると共にパネル状に一体に保持する補強面状部材・補強辺部材等から構成される。（後述の）図５と図６に示すように、この電波吸収パネル６の平面視の大きさ（縦・横寸法）は、足場板５と同一に設定するのが好ましい。
【００１１】
ところで、図７と図８（Ａ）に示すように、横梁４の横断面形状は、下面４ｂ側が、両端部に第一掛止片部１５，　１５を有する下方開口状の第一開口溝部１６を備えた形状であって、横梁４の第一開口溝部１６に挿入されて上記第一掛止片部１５，　１５に掛止する第一固着具２１を介して、上記電波吸収パネル６は下面４ｂに取着される。
さらに、横梁４の上面４ａ側が、両端部に第二掛止片部１７，　１７を有する上方開口状の第二開口溝部１８を備えた形状であって、横梁４の上面４ａ側の第二掛止片部１７，　１７に掛止する第二固着具２２を介して、上記足場板５は上面４ａ側に取着される。
【００１２】
図８（Ａ）に示した横梁４の横断面形状は、角張ったＣ型材（Ｃ型チャンネル材）の一対を連結部材２３で連結一体化して、上下に開口溝部１８，　１６を有する形状であり、第二掛止片部１７，　１７及び第一掛止片部１５，　１５は、夫々上面４ａ・下面４ｂから直角に折曲げられている。
【００１３】
第一固着具２１は、左右一対の第一掛止片部１５，　１５に上方から被覆するように掛合する断面ハット型（又は門型）の係止片２１ａと、この掛止片２１ａの孔部と同芯として該掛止片２１ａに固着されたナット部材２１ｂと、（図外の）電波吸収パネル６の孔に挿入されて上記ナット部材２１ｂに螺着されるボルト２１ｃと、から成る。第二固着具２２は、左右一対の第二掛止片１７，　１７に下方から掛合する断面倒立ハット型（又は倒立門型）の係止片２２ａと、この掛止片２２ａから上方へ突設されたボルト２２ｃ等から成る。
従って、（後述の）図４と図５中に矢印Ａ，Ｂにて示す如く、横梁４の長手方向にスライドさせながら、足場板５及び電波吸収パネル６が取付け取外し自在として、取着される。
【００１４】
なお、横梁４の断面形状、及び、第一固着具２１・第二固着具２２の形状等は自由に設計変更可能であって、図８（Ｂ）や（Ｃ）のように構成しても良い。即ち、図８（Ｂ）に於て、掛止片２１ａ，２２ａを正方形や矩形の板片とし、他方、横梁４の第一・第二開口溝部１６，　１８の溝幅よりも僅かに大きな間隔となるように（幅外方側に）、第一・第二掛止片部１５，　１５・１７，１７を設けている。あるいは、図８（Ｃ）に於て、掛止片２１ａ，２２ａを中央一文字部とその左右を傾斜状に（折曲げて）延伸した傾斜辺部とから成る屋根型断面形状として、他方、横梁４の第一開口溝部１６には、第一掛止片部１５，　１５を傾斜上方へ折曲げて形成すると共に、第二開口溝部１８には、第二掛止片部１７，１７を傾斜下方へ折曲げて形成している。
【００１５】
要するに、水平横方向から、足場板５・電波吸収パネル６がスライドしつつ、各々、横梁４の上面４ａ・下面４ｂに取付け可能となっておれば良く、スライド途中及び取着後のいずれに於ても、第一固着具２１の掛止片２１ａが、横梁４の第一掛止片部１５，１５に確実に係合して、吊下状（吊持状）に常に電波吸収パネル６を保持できる構造であり、また、第二固着具２２の掛止片２２ａが、横梁４の第二掛止片部１７，１７に確実に係合して、不意に足場板５が浮上がることを防止できる構造である。
【００１６】
なお、図７に於て、落下防止ワイヤ２４にて、横梁４と、電波吸収パネル６とを、連繋して、不意のパネル落下を防止している。図５に示すように、予めパネル６の上面に、環状部を有する吊金具２５を突設しておいて、この吊金具２５の環状部に落下防止ワイヤ２４を挿通し、ワイヤ２４の両端を横梁４に固着することで、落下防止を図っている。
【００１７】
次に、電波吸収パネル６の高架裏（桁裏）１１への取付方法（工法）について、説明すると、図１に示すように、高架裏（桁裏）１１の主桁１２に吊部材２ａを垂下状に取付ける。
次に、縦梁３を吊部材２ａによって吊下状に、かつ、主桁１２の下方に平行に保持する。その後、横梁４を、縦梁３の下面に、かつ、平面視直交状に、ボルト等にて固着連結する。多数の横梁４は相互に平行として、道路の左右幅方向に配設されることとなる。
【００１８】
次に、図４に示すように、エキスパンドメタル等の金属網面体から成る足場板５を、平面視横梁４と直交方向として横梁４の上面４ａに載せて、矢印Ａのように横梁４の長手方向に、スライドさせながら、順次取付けてゆく。このとき、図示省略したが足場板５には（図８で説明した）第二固着具２２が取付けられていて、この第二固着具２２の掛止片２２ａを、横梁４の第二掛止片部１７に係合させながら、矢印Ａ方向に横方向から押しながらスライドさせて、取付ける。
【００１９】
次に、図５に示すように、横梁４の長手方向にスライドさせながら、横梁４の下面４ｂに電波吸収パネル６を、順次、取付けてゆく。矩形状のパネル６は平面視横梁４と直交方向に配設され、２本以上の横梁４の下面４ｂの開口溝部１６に対応する第一固着具２１によって、パネル６は常に吊持状に保持されながらスライドする。
【００２０】
なお、図５のように、上層の一枚の足場板５を取付けると、次に、下層の一枚のパネル６を取付け、これを順次繰返していって、高架裏１１全面に、上記二層に、図６に示すように、足場板５群とパネル６群を、配設する。あるいは、複数枚から成る足場板５を所定域にわたって取付け、その後、複数枚から成るパネル６を同所定域にわたって取付けても良い。若しくは、十分に広い面積乃至全面にわたって、足場板５を張設し、その後に、パネル６を張設しても、自由である。なお、足場板５が金属網目体から成るので、作業工具を網目から挿通して、第一固着具２１を回転させて、パネル６を容易に取付けすることが可能である。
【００２１】
その後、図７に示す如く、落下防止ワイヤ２４にてパネル６の不意の落下を防止する。また、吊部材２ｂとして板片とボルト・ナット等で縦梁３を高架道路主桁１２に固定する。吊部材２ａは、そのまま残し、あるいは、一部を除去して、パネル取付作業は完了する。
【００２２】
本発明は上述のような構成であり、足場板５を電波吸収パネル６と別体とし、上下に２層に配設したので電波吸収パネル６は電波吸収特性を測定しながら、設置してゆくことが可能であり、従来のような足場を別途組立てたり、解体したりする手間がなくなる。
そして、足場板５は足場板５で取付けるので、高架裏（桁裏）１１の補修を、電波パネル６の取付工事を待たずに、行い得る。
【００２３】
また、上層の足場板５を網目体とすれば、網目より治具（作業工具）を通して、下層の電波吸収パネル６の取付／取外しを、一枚単位で行い得る。かつ、（電波吸収パネル６に乗って）高架裏１１の補修工事を行い得る。また、作業中に、電波吸収パネル６の上面を踏んで損傷させることもなくなる。また、足場板５・電波吸収パネル６を、横梁４に沿って横方向（Ａ，Ｂ方向）からスライドさせて取付けできるので、作業能率が向上し、工期が短縮でき、安全性も高い。
【００２４】
さらに、足場を必要としないので、従来のように、桁下を行き来する車の通行規制を行う必要もない。そして、いつでも足場板５の上を歩いて、桁裏、及び、電波吸収パネル６のメンテナンス（点検・修理）を容易に行い得るという利点がある。また、高架道路１０の振動に対して、耐久性がある。
【００２５】
【発明の効果】
本発明は上述の構成により次のような著大な効果を奏する。
（請求項１，２，３によれば、）足場の組立て及び解体の面倒な作業が不要となり、かつ、桁下を行き来する車の通行規制も必要なくなった。しかも、電波吸収パネル６を取り外した箇所があっても、足元を気にせず、桁裏（高架裏）１１の補修を行い得る。そして、電波吸収パネル６はその電波吸収特性を測定しながら、独自のペースにて、取付作業ができる。他方、足場板５は足場として、独自ペースで、取付作業ができる。このように、現実の高架裏１１の作業能率が著しく改善されることとなった。
【００２６】
（請求項２によれば、）電波吸収パネル６を、横梁４に沿ってスライドさせながら、容易に、安全に、しかも迅速に、取付けることができる。
（請求項３によれば、）電波吸収パネル６及び足場板５を、横梁４に沿ってスライドさせつつ容易に、確実に、かつ、安全・迅速に、取付作業を行い得る。
（請求項４によれば、）下層側の電波吸収パネル６の取付・取外し、及び、補修作業の際、足場板５の網目を通して、作業工具や治具にて、上方から容易にかつ安全に作業ができる。かつ、一枚単位で、電波吸収パネル６の取付・取外しを容易に行い得る。
（請求項５によれば、）全体として、電波吸収パネル６の取付作業、及び、足場板５の取付作業を、短い工期で実施できるようになる。
【図面の簡単な説明】
【図１】本発明の実施の一形態を示し、第１の取付手順を示す斜視説明図である。
【図２】第２の手順を示す斜視説明図である。
【図３】第３の手順を示す斜視説明図である。
【図４】第４の手順を示す斜視説明図である。
【図５】第５の手順を示す斜視説明図である。
【図６】第６の手順を示す斜視説明図である。
【図７】第７の手順を示すと共に本発明の取付構造の実施の形態を示す一部破断斜視図である。
【図８】要部簡略説明図である。
【符号の説明】
４　横梁
４ａ　上面
４ｂ　下面
５　足場板
６　電波（電磁波）吸収パネル
１１　　高架裏（桁裏）
１５　　第一掛止片部
１６　　第一開口溝部
１７　　第二掛止片部
１８　　第二開口溝部
２１　　第一固着具
２２　　第二固着具
【図１】
2004052233.tif 000003
【図２】
2004052233.tif 000004
【図３】
2004052233.tif 000005
【図４】
2004052233.tif 000006
【図５】
2004052233.tif 000007
【図６】
2004052233.tif 000008
【図７】
2004052233.tif 000009
【図８】
2004052233.tif 000010